(57)【要約】      （修正有）【課題】行程距離の短いポンプを備えたコンパクト容器の提供。【解決手段】一側にボタン１１が形成された容器本体１０と、前記容器本体１０の一側にヒンジ結合されて開閉される容器蓋２０とからなるコンパクト容器において、内容物収容空間３１が形成された内容器３０と；前記内容器３０の上部に結合されて内容器３０を密閉させ、中央にシリンダー５１が形成されたポンプ支持台４０と；前記ポンプ支持台４０の中央上部に設置されて内容物をポンピングし、行程距離が１．５ｍｍ乃至２．５ｍｍであり、前記行程距離とシリンダー５１の内径との割合が１：５乃至１：１３に形成されたポンプ５０で構成される行程距離の短いポンプを備えた。【選択図】図４
2016123845.tif 000002
【特許請求の範囲】
【請求項１】
内容物収容空間３１が形成された内容器３０と、
前記内容器３０の上部に結合されて内容器３０を密閉させ、中央にシリンダー５１が形成されたポンプ支持台４０と、
前記ポンプ支持台４０の中央上部に設置されて内容物をポンピングし、行程距離が１．５ｍｍ乃至２．５ｍｍであり、前記行程距離とシリンダー５１の内径との割合が１：５乃至１：１３で形成されたポンプ５０で構成される行程距離の短いポンプを備えたコンパクト容器。
【請求項２】
前記ポンプ５０の上側には多数の排出孔６１が形成された排出板６０が備えられることを特徴とする、請求項１に記載の行程距離の短いポンプを備えたコンパクト容器。
【請求項３】
前記ポンプ５０は、ポンプ支持台４０の中央上側に形成され、底面に内容物吸入孔５８が形成されたシリンダー５１と、前記シリンダー５１の底面に取り付けられて前記内容物吸入孔５８を選択的に開閉する吸入バルブ板５２と、前記シリンダー５１の上端に載せられるように前記シリンダー５１の外側に結合されたブッシング５３と、前記シリンダー５１の内側に形成されるピストン５５と、前記ピストン５５の外側に嵌められ、前記シリンダー５１の内側面に密着するピストンリング５６と、前記ピストン５５の内周面に結合されて上下移動する上下移動部材５７、及び前記上下移動部材５７を弾力支持する弾性部材５４で構成されることを特徴とする、請求項１に記載の行程距離の短いポンプを備えたコンパクト容器。
【請求項４】
前記上下移動部材５７の中央下側には前記ピストン５５に結合される内側延長突輪５７１が延長形成され、前記内側延長突輪５７１の外側に一定間隔離隔して前記ピストンリング５６の外側に嵌められる外側延長突輪５７２が延長形成されることを特徴とする、請求項３に記載の行程距離の短いポンプを備えたコンパクト容器。
【請求項５】
前記ブッシング５３の中央には上下移動部材５７の外側延長突輪５７２が貫通される貫通ホール５３１が形成され、前記貫通ホール５３１の内側には内側水平延長片５３２が延長形成されることを特徴とする、請求項３に記載の行程距離の短いポンプを備えたコンパクト容器。
【請求項６】
前記ブッシング５３の内側水平延長片５３２の内側端部はラウンド形状に形成されることを特徴とする、請求項３または５に記載の行程距離の短いポンプを備えたコンパクト容器。
【請求項７】
前記ブッシング５３の内側水平延長片５３２と上下移動部材５７の外側延長突輪５７２との間には前記上下移動部材５７がブッシング５３内で流動的に動けるように０．３ｍｍ乃至１．２ｍｍの隙間５９が形成されることを特徴とする、請求項３または５に記載の行程距離の短いポンプを備えたコンパクト容器。
【請求項８】
前記上下移動部材５７が片方に傾いた状態で押圧されても前記ピストンリング５６によりシリンダー５１の内部が密閉されてポンプ５０が正常に作動されるように前記ピストンリング５６の上部が外側に広がっており、前記ピストンリング５６の上部外側が前記上下移動部材５７の外側延長突輪５７２の内側に密着して嵌められ、前記ピストンリング５６のピストン羽根５６１がシリンダー５１の内側面に密着するように形成されることを特徴とする、請求項３に記載の行程距離の短いポンプを備えたコンパクト容器。
【請求項９】
前記ピストンリング５６の上端外側に密着突輪５６２が形成されることを特徴とする、請求項３または５に記載の行程距離の短いポンプを備えたコンパクト容器。
【発明の詳細な説明】
【技術分野】
【０００１】
本発明は行程距離の短いポンプを備えたコンパクト容器に関し、より詳しくは、容器本体の上部にポンプ支持台を板形態に形成し、前記ポンプ支持台の上にポンプを結合し、かつ前記ポンプは従来のようにピストン、ピストンリング、シリンダー、吸入バルブ板で形成されたポンプを使用し、前記ポンプの行程距離を１.５ｍｍ乃至２.５ｍｍに縮小させると共に、ポンプの行程距離とシリンダー内径との割合を従来の１：１乃至１：３から１：５．５乃至１：１３の割合に変更して形成することによって、容器本体内に内容物収容空間を最大化させることができるようにし、またポンプのシリンダーの上部にブッシングを結合し、かつ前記ブッシングの端部をラウンド形状に形成し、前記ブッシングと上下移動部材との間に０．３ｍｍ乃至１．２ｍｍの隙間を形成して前記上下移動部材がブッシング内で流動的に動けるようにし、ポンプの行程距離を短くすることによって、化粧品ポンピング方法が排出板の中心部を垂直に押圧しなければならないことに制限されるものでなく、排出板のどの部位を押圧しても容易に化粧料が排出されるようにする行程距離の短いポンプを備えたコンパクト容器に関する。
【背景技術】
【０００２】
色調化粧品とは、容貌を美しく変化させて皮膚を美しく演出しようとする目的に使われるものであって、皮膚色を均一にし、欠点をカバーするために使われるベースメーキャップと、唇、目、つめなど、部分的に立体感を高めるポイントメーキャップとに区分され、ベースメーキャップにはメーキャップベース、ファンデーション、パウダーなどで構成されており、ポイントメーキャップには、リップスティック、アイライナー、マスカラなどで構成されている。
【０００３】
前記ファンデーションは化粧料の形態によって、固形ファンデーション、液状ファンデーション、及びゲル状ファンデーションに区分され、固形ファンデーションの場合、カバー力は高いが、修正化粧時に固まる短所があり、液状ファンデーションの場合、密着感は良いが、持続力が弱いという短所がある。これによって、最近になって相当な持続力を有し、また皮膚に塗布時、密着感の良いゲル状ファンデーションを好む消費者が多くなった。
【０００４】
これによって、ゲル状ファンデーションに対する容器の開発も必要になったが、一般的にゲル状ファンデーションをガラス容器や、チューブ容器に充填して使用時にユーザが手に分け出すか、または絞り出してパフや手を用いて皮膚に塗布する方式により使われた。
【０００５】
しかしながら、従来技術はユーザが使用する度に手に化粧料を付けるようになることによって、毎度手を洗わなければならない使用上の不便性の問題点があり、上記のように化粧料が付いた手を洗うことによって、化粧料が損失される問題点があった。
【０００６】
前記のような問題点を解決するために、図１に示すように、本出願人は大韓民国登録実用新案第２０−０４６１４２４号でエアレスポンプを有するコンパクト容器を開示したが、この従来発明は容器本体内にゲル化粧料を充填し、ボタンの押えることによってポンプが作動して、ゲル化粧料が排出板の上に排出されるようにした後、パフで付けて使用するようにすることで、使用時に化粧料を手に付けないで使用できるようにしたものである。
【０００７】
前記従来に使われるポンプ１００は、シリンダー１０１、ピストン１０２、ピストンリング１０３、吸入バルブ板１０４、上下移動部材１０５、及びブッシング１０６で構成されている。
【０００８】
しかしながら、前記従来技術はポンプ１００が容器本体の内部中央に設置され、かつ構造上、容器本体の底面まで着くように形成されているので、容器本体内で占める体積が大きいので、実際に内容物収容空間を形成することができる範囲が狭くなるので、容器本体内に収容された内容物の量が少なくて化粧品を短い期間しか使用できないという問題点があった。
【０００９】
一般に、従来に化粧品に使われるポンプ１００は、行程距離が３．０ｍｍ乃至６．３ｍｍに形成され、ポンプ１００の行程距離とシリンダー１０１の内径が１：１乃至１：３の割合を有するように形成されているが、前記のような問題点を解決するためにポンプを容器本体の内部に設置した従来の構造でポンプを容器本体の上部に設置するように変更して容器本体内の内容物収容空間を拡大させる必要があった。
【００１０】
また、従来のポンプ１００はピストン１０２の中心軸とシリンダー１０１の中心軸とが一致する時のみにポンプ１００が作動するように上下移動部材１０５とブッシング１０６との間隔をタイトに形成して上下移動部材１０５が垂直運動されるように誘導したが、ユーザがポンプ１００を作動する時、ポンプの真中央を押えることができなければ、上下移動部材１０５が傾いて上下移動部材１０５がブッシング１０６に挟まるようになって、作動できないという問題点があった。
【００１１】
また、前記従来技術はポンプ１００のピストン１０２の中心軸とシリンダー１０１の中心軸とが一致するようにしなければならないので、ユーザが内容物の吐出のために排出板を押圧する時、押圧位置が限定され、これによってユーザがパフを用いて排出板の中心部を垂直に押圧しなければポンピングできなくて、使用上の不便性の問題点があった。
【発明の概要】
【発明が解決しようとする課題】
【００１２】
本発明は前記のような問題点を解決するために案出したものであって、容器本体の上部にポンプ支持台を板形態に形成し、前記ポンプ支持台の上にポンプを結合し、かつ前記ポンプは従来のように、ピストン、ピストンリング、シリンダー、吸入バルブ板で形成されたポンプを使用し、前記ポンプの行程距離を１．５ｍｍ乃至２．５ｍｍに縮小させると共に、ポンプの行程距離とシリンダー内径との割合を従来の１：１乃至１：３から１：５．５乃至１：１３の割合に変更して形成することによって、容器本体内に内容物収容空間を最大化させることができるようにする行程距離の短いポンプを備えたコンパクト容器を提供することをその目的とする。
【００１３】
また、ポンプのシリンダーの上部にブッシングを結合し、かつ上下移動部材が挿入される前記ブッシングの端部をラウンド形状に形成し、前記ブッシングと上下移動部材との間に０．３ｍｍ乃至１．２ｍｍの隙間を形成し、前記上下移動部材がブッシング内で流動的に動けるようにし、ポンプの行程距離を短くすることによって、化粧品ポンピング方法が排出板の中心部を垂直に押圧しなければならないことに制限されるものでなく、排出板のどの部位を押圧しても容易に化粧料が排出されるようにする行程距離の短いポンプを備えたコンパクト容器を提供することをその目的とする。
【課題を解決するための手段】
【００１４】
本発明は、一側にボタン１１が形成された容器本体１０と前記容器本体１０の一側にヒンジ結合されて開閉される容器蓋２０とからなるコンパクト容器において、内容物収容空間３１が形成された内容器３０と；前記内容器３０の上部に結合されて内容器３０を密閉させ、中央にシリンダー５１が形成されたポンプ支持台４０と；前記ポンプ支持台４０の中央上部に設置されて内容物をポンピングし、行程距離が１．５ｍｍ乃至２．５ｍｍであり、前記行程距離とシリンダー５１の内径との割合が１：５乃至１：１３に形成されたポンプ５０で構成される行程距離の短いポンプを備えたコンパクト容器を提供する。
【００１５】
また、前記ポンプ５０の上側には多数の排出孔６１が形成された排出板６０が備えられることを特徴とする。
【００１６】
また、前記ポンプ５０はポンプ支持台４０の中央上側に形成され、底面に内容物吸入孔５８が形成されたシリンダー５１と、前記シリンダー５１の底面に取り付けられて前記内容物吸入孔５８を選択的に開閉する吸入バルブ板５２と、前記シリンダー５１の上端に載せられるように前記シリンダー５１の外側に結合されたブッシング５３と、前記シリンダー５１の内側に形成されるピストン５５と、前記ピストン５５の外側に嵌められ、前記シリンダー５１の内側面に密着するピストンリング５６と、前記ピストン５５内周面に結合されて上下移動する上下移動部材５７、及び前記上下移動部材５７を弾力支持する弾性部材５４で構成されることを特徴とする。
【００１７】
また、前記上下移動部材５７の中央下側には前記ピストン５５に結合される内側延長突輪５７１が延長形成され、前記内側延長突輪５７１の外側に一定間隔離隔して前記ピストンリング５６の外側に嵌められる外側延長突輪５７２が延長形成されることを特徴とする。
【００１８】
また、前記ブッシング５３の中央には前記上下移動部材５７の外側延長突輪５７２が貫通する貫通ホール５３１が形成され、前記貫通ホール５３１の内側には内側水平延長片５３２が延長形成され、前記貫通ホール５３１の外側には多数の弾性部材収容部５３３が形成され、前記弾性部材収容部５３３の外側には前記ポンプ支持台４０に嵌められる外側水平延長片５３４が形成されることを特徴とする。
【００１９】
また、前記ブッシング５３の内側水平延長片５３２の内側端部はラウンド形状に形成されることを特徴とする。
【００２０】
また、前記ブッシング５３の内側水平延長片５３２と前記上下移動部材５７の外側延長突輪５７２との間には前記上下移動部材５７がブッシング５３内で流動的に動けるように０．３ｍｍ乃至１．２ｍｍの隙間５９が形成されることを特徴とする。
【００２１】
また、前記ポンプ５０の上側には分配板７０がさらに形成されることを特徴とする。
【００２２】
また、前記分配板７０の上部面には排出される内容物が拡散されるように内容物拡散流路７１が形成され、外側縁には一対の半円突起７２が形成されることを特徴とする。
【００２３】
また、前記分配板７０の上側にはリング形態のボタン部材８０がさらに形成されることを特徴とする。
【００２４】
また、前記ボタン部材８０の一側には押圧ボタン８１が上部に突出形成され、前記押圧ボタン８１の反対側の外側には軸突起８２が形成され、前記押圧ボタン８１と軸突起８２とを連結する方向と垂直をなす位置には各々一対の半円溝８３が形成されることを特徴とする。
【００２５】
また、前記半円突起７２と半円溝８３は半円形態に形成され、半円突起７２が半円溝８３に嵌められ、かつ前記半円突起７２の直径は前記半円溝８３の内径より小さく形成されることを特徴とする。
【発明の効果】
【００２６】
前記本発明に従う行程距離の短いポンプを備えたコンパクト容器は、容器本体の上部にポンプ支持台を板形態に形成し、前記ポンプ支持台の上にポンプを結合し、かつ前記ポンプは従来のように、ピストン、ピストンリング、シリンダー、吸入バルブ板で形成されたポンプを使用し、前記ポンプの行程距離を１．５ｍｍ乃至２．５ｍｍに縮小させると共に、ポンプの行程距離とシリンダー内径との割合を従来の１：１乃至１：３から１：５．５乃至１：１３の割合に変更して形成することによって、容器本体内に内容物収容空間を最大化させることができるようにする行程距離の短いポンプを備えたコンパクト容器を提供する効果がある。
【００２７】
また、ポンプのシリンダーの上部にブッシングを結合し、かつ上下移動部材が挿入される前記ブッシングの端部をラウンド形状に形成し、前記ブッシングと上下移動部材との間に０．３ｍｍ乃至１．２ｍｍの隙間を形成して、前記上下移動部材がブッシング内で流動的に動けるようにし、ポンプの行程距離を短くすることによって、化粧品ポンピング方法が排出板の中心部を垂直に押圧しなければならないことに制限されるものでなく、排出板のどの部位を押圧しても容易に化粧料が排出されるようにする行程距離の短いポンプを備えたコンパクト容器を提供する効果がある。
【図面の簡単な説明】
【００２８】
【図１】従来のエアレスポンプを有するコンパクト容器である。
【図２】本発明に係る行程距離の短いポンプを備えたコンパクト容器の斜視図である。
【図３】本発明に係る行程距離の短いポンプを備えたコンパクト容器の分解斜視図である。
【図４】本発明に係る行程距離の短いポンプを備えたコンパクト容器の断面図である。
【図５】本発明に係る行程距離の短いポンプを備えたコンパクト容器が押圧された状態を示す断面図である。
【図６】本発明に係る行程距離の短いポンプを備えたコンパクト容器の押圧が解除された状態を示す断面図である。
【発明を実施するための形態】
【００２９】
本発明に係る行程距離の短いポンプを備えたコンパクト容器の実施形態を添付図面を参照して説明すると、次の通りである。
【００３０】
図２は本発明に係る行程距離の短いポンプを備えたコンパクト容器の斜視図であり、図３は本発明に係る行程距離の短いポンプを備えたコンパクト容器の分解斜視図であり、図４は本発明に係る行程距離の短いポンプを備えたコンパクト容器の断面図であり、図５は本発明に係る行程距離の短いポンプを備えたコンパクト容器が押圧された状態を示す断面図であり、図６は本発明に係る行程距離の短いポンプを備えたコンパクト容器の押圧が解除された状態を示す断面図である。
【００３１】
本発明の実施形態に係る行程距離の短いポンプを備えたコンパクト容器は、図３及び図４に示すように、一側にボタン１１が形成された容器本体１０と、前記容器本体１０の一側にヒンジ結合されて開閉される容器蓋２０からなるコンパクト容器において、内容物収容空間３１が形成された内容器３０と；前記内容器３０の上部に結合されて内容器３０を密閉させ、中央にシリンダー５１が形成されたポンプ支持台４０と；前記ポンプ支持台４０の中央上部に設置されて内容物をポンピングし、行程距離が１．５ｍｍ乃至２．５ｍｍであり、前記行程距離とシリンダー５１の内径との割合が１：５乃至１：１３で形成されたポンプ５０で構成される。
【００３２】
前記容器本体１０の内部には内容器３０を収容する内容器収容空間１２が形成されており、内側面には第１取付突起１３と前記第１取付突起１３の上側に一定間隔離隔して第２及び第３取付突起１４、１５が形成される。また、ボタン１１と対応する位置の容器本体１０の内側面には軸結合溝１６が形成される。
【００３３】
前記容器本体１０の一側にはボタン１１が一体形成され、前記ボタン１１の上側にはユーザの押え動作により容易に後退される係止突起１７が突出形成されている。
【００３４】
前記容器蓋２０は容器本体１０を開閉し、容器蓋２０の一側には前記容器本体１０の係止突起１７に対応する位置に突起形状のフック２１が形成されて前記容器本体１０の係止突起１７に締結される。
【００３５】
また、前記容器蓋２０の内側にはユーザが容易に化粧することができるように鏡２２が備えられている。
【００３６】
前記内容器３０の内側には内容物を上部に押し上げる押し上げ板３２が形成され、前記押し上げ板３２は内容器３０の内側面に密着する。
【００３７】
前記内容器３０は、内容器底面３３と、前記内容器底面３３から上部に延長形成された内壁３５と、前記内壁３５から外側に一定間隔離隔して形成された外壁３６とからなる。
【００３８】
前記内容器３０の外壁３６の外周縁には取付溝３６１が形成されて前記容器本体１０の第１取付突起１３と結合され、外壁３６の内周縁には結合溝３６２が形成される。
【００３９】
また、前記内容器３０の内容器底面３３には外部空気が流入する空気流通ホール３４が形成される。
【００４０】
前記ポンプ支持台４０は板形態に形成され、前記内容器３０の上部に結合されて内容器３０を密閉させる。
【００４１】
前記ポンプ支持台４０は中央にシリンダー５１が一体形成され、前記シリンダー５１の外側にポンプ５０のブッシング５３が結合されるブッシング結合溝４２が形成され、ブッシング結合溝４２の外側には下部延長突輪４３が下側に延長形成される。
【００４２】
前記ポンプ支持台４０の下部延長突輪４３の外周縁には結合突起４３１が形成されて前記内容器３０の結合溝３６２と結合され、前記結合突起４３１の上側には取付突輪４３２が突出形成されて前記容器本体１０の第２及び第３取付突起１４、１５の間に嵌められる。
【００４３】
前記ポンプ５０は内容物をポンピングし、従来のポンプのようにシリンダー５１、吸入バルブ板５２、ピストン５５、及びピストンリング５６で形成されるが、前記ポンプ５０は前記内容器３０の内の内容物収容空間３１の面積を最大化させるために従来のポンプとは異なり、前記ポンプ支持台４０の上部に設置され、行程距離が１．５ｍｍ乃至２．５ｍｍであり、前記行程距離とシリンダー５１の内径との割合が１：５乃至１：１３で形成されて、従来のポンプに比べて顕著に行程距離が短く、シリンダー５１の内径が大きいポンプ５０で形成される。
【００４４】
従来、ポンプの行程距離とシリンダー内径との割合を見ると、以下の＜表１＞の通りである。
【００４５】
【表１】
2016123845.tif 000003
【００４６】
前記＜表１＞に示すように、従来のポンプは行程距離が３．０ｍｍ乃至６．３ｍｍで形成され、ポンプの行程距離とシリンダー内径とが１：１乃至１：３の割合を有するように形成されているが、前記従来のポンプを上下長さが短く、左右長さの広いコンパクトのような容器に適用すれば、前記従来のポンプが容器本体内に形成された内容物収容空間内に内蔵されて内容物収容空間の面積を多く占めるようになる問題がある。
【００４７】
前記のような問題点を解決するために、本発明に係る行程距離の短いポンプを備えたコンパクト容器は、ポンプ５０の行程距離を１．５ｍｍ乃至２．５ｍｍに縮小させ、シリンダー５１の内径を拡大させるために、前記行程距離とシリンダー５１の内径との割合を１：５乃至１：１３に変更させて板形態のポンプ支持台４０の上部に設置することによって、前記内容器３０の内容物収容空間３１を最大限活用できるようにしたものである。
【００４８】
前記ポンプ５０は、ポンプ支持台４０の中央上側に形成され、底面に内容物吸入孔５８が形成されたシリンダー５１と、前記シリンダー５１の底面に取り付けられて、前記内容物吸入孔５８を選択的に開閉する吸入バルブ板５２と、前記シリンダー５１の上端に載せられるように前記シリンダー５１の外側に結合されたブッシング５３と、前記ブッシング５３の上部またはポンプ支持台４０の上部に取り付けられて、上下移動部材５７を弾力支持する弾性部材５４と、前記シリンダー５１の内側に形成されるピストン５５と、前記ピストン５５の外側に嵌められ、前記シリンダー５１の内側面に密着するピストンリング５６、及び前記ピストン５５の内周面に結合されて上下移動する上下移動部材５７で構成される。
【００４９】
前記上下移動部材５７の中央下側には前記ピストン５５の内側に結合される内側延長突輪５７１が延長形成され、前記内側延長突輪５７１の外側に一定間隔離隔して前記ピストンリング５６の外側に嵌められる外側延長突輪５７２が延長形成される。
【００５０】
また、前記上下移動部材５７の中央上側には分配板７０が結合される上部延長突輪５７３が延長形成される。
【００５１】
前記上下移動部材５７の内側延長突輪５７１の外周縁にはポンピングされた内容物が通過する多数のスリット５７４（slit：狭い隙間）が形成される。
【００５２】
前記ブッシング５３の中央には前記上下移動部材５７の外側延長突輪５７２が貫通する貫通ホール５３１が形成され、前記貫通ホール５３１の内側には内側水平延長片５３２が延長形成され、前記貫通ホール５３１の外側には多数の弾性部材収容部５３３が形成され、前記弾性部材収容部５３３の外側には前記ポンプ支持台４０のブッシング結合溝４２に嵌められる外側水平延長片５３４が形成される。
【００５３】
前記ブッシング５３の内側水平延長片５３２の内側端部はラウンド形状に形成される。
【００５４】
また、前記ブッシング５３の内側水平延長片５３２と前記上下移動部材５７の外側延長突輪５７２との間には前記上下移動部材５７がブッシング５３内で流動的に動けるように０．３ｍｍ乃至１．２ｍｍの隙間５９が形成されている。
【００５５】
即ち、前記ポンプ５０のピストンリング５６の上部が外側に広がっており、ピストンリング５６の上端に外側に密着突輪５６２が形成されているので、前記ピストンリング５６の上部外側が前記上下移動部材５７の外側延長突輪５７２の内側に密着して嵌められ、前記ピストンリング５６のピストン羽根５６１がシリンダー５１の内側面に密着するように形成することによって、前記上下移動部材５７が片方に傾いた状態で押圧されても前記ピストンリング５６により前記シリンダー５１の内部が密閉してポンプ５０が正常に作動されるものである。
【００５６】
したがって、ユーザが排出板６０の中心部を垂直に押圧せず、中心部から外れた部分を押圧して前記上下移動部材５７が傾いても前記ピストンリング５６がシリンダー５１の内部で正常に作動して内容物が容易にポンピングできる。
【００５７】
前記ポンプ５０の上側には多数の排出孔６１が形成された排出板６０が備えられ、前記排出孔６１の下側には内容物が通過できるように外周縁の一側が開放された排出突輪６２が形成される。
【００５８】
前記ポンプ５０の上側には分配板７０がさらに形成される。
【００５９】
前記分配板７０の上部面には排出される内容物が拡散されるように内容物拡散流路７１が形成され、外側縁には一対の半円突起７２が形成され、中央には前記上下移動部材５７の上部延長突輪５７３が嵌められる結合ホール７３が形成される。
【００６０】
前記分配板７０の上側にはリング形態のボタン部材８０がさらに形成される。
【００６１】
前記ボタン部材８０の一側には押圧ボタン８１が上部に突出形成され、前記押圧ボタン８１の反対側の外側には軸突起８２が形成され、前記押圧ボタン８１と軸突起８２とを連結する方向と垂直をなす位置には各々一対の半円溝８３が形成される。
【００６２】
前記半円突起７２と半円溝８３は半円形態に形成され、半円突起７２が半円溝８３に嵌められるようになる。
【００６３】
前記半円突起７２の直径は前記半円溝８３の内径より小さく形成されるが、これはユーザは内容物を排出するために押圧ボタン８１を押圧する時、前記ボタン部材８０が傾いた状態で押圧されてもボタン部材８０の半円溝８３が前記分配板７０の半円突起７２の上部で空転しながら押圧される中心を変えることによって、前記分配板７０がポンプ５０の上下移動部材５７を垂直に押圧できるようにするためである。
【００６４】
上記のように構成された行程距離の短いポンプを備えたコンパクト容器の組立方法を説明すると、次の通りである。
【００６５】
本発明に係る行程距離の短いポンプを備えたコンパクト容器を組み立てるためには、図４に示すように、一側に容器蓋２０がヒンジ結合された容器本体１０の内部に内容器３０を取り付ける。
【００６６】
次に、前記内容器３０の内部に押し上げ板３２を嵌め込んで、内容物を注入した後、前記内容器３０の上部にポンプ支持台４０を結合させるが、前記ポンプ支持台４０の下部延長突輪４３が内容器３０の内壁３５と外壁３６との間に嵌められると共に、前記下部延長突輪４３の取付突輪４３２が前記容器本体１０の第２及び第３取付突起１４、１５の間に嵌められるように結合する。
【００６７】
この後、前記ポンプ支持台４０の上部にポンプ５０を設置し、前記ポンプ５０の上下移動部材５７の上部に分配板７０を結合し、前記分配板７０の上部にボタン部材８０を取り付けて、かつ前記分配板７０の半円突起７２とボタン部材８０の半円溝８３との位置を合せて取り付けながら前記ボタン部材８０の軸突起８２を容器本体１０の軸結合溝１６に嵌める。
【００６８】
最後に、前記分配板７０の上側面に排出板６０を付着して本発明に係る行程距離の短いポンプを備えたコンパクト容器の組立は完了する。
【００６９】
前記のような方法により組み立てられた行程距離の短いポンプを備えたコンパクト容器の使用は、次の通りである。
【００７０】
本発明に係る行程距離の短いポンプを備えたコンパクト容器を使用するためには、まず、図５に示すように、ボタン部材８０の押圧ボタン８１を押圧するか、または排出板６０の上面を押圧する。
【００７１】
前記押圧ボタン８１または排出板６０が押圧されれば、ボタン部材８０が傾きながら下側に移動するようになり、前記ボタン部材８０の下側に取り付けられた分配板７０も共に下側に移動するようになるが、この際、前記分配板７０の半円突起７２の直径が前記ボタン部材８０の半円溝８３の内径より小さく形成されているので、前記ボタン部材８０が傾いた状態で押圧されてもボタン部材８０の半円溝８３が前記分配板７０の半円突起７２の上部で押圧することによって、前記分配板７０がポンプ５０の上下移動部材５７を垂直に押圧するようになる。
【００７２】
前記上下移動部材５７の下側移動により上下移動部材５７の下側に結合されているピストン５５と、ピストンリング５６も共に下側に移動しながらシリンダー５１の内部の体積が減るようになる。これによって、シリンダー５１の内部に圧力が発生するようになり、前記圧力によりシリンダー５１の内の内容物が外部に吐出しようとすることによって、吐出圧力が発生して吸入バルブ板５２が前記シリンダー５１の底面に形成された内容物吸入孔５８を閉鎖させる。
【００７３】
これと共に、シリンダー５１の内に収容されていた内容物がピストン５５とピストンリング５６との間に出て前記上下移動部材５７のスリット５７４を通過した後、前記分配板７０の拡散流路７１を経て排出板６０の排出孔６１に排出される。
【００７４】
以後、前記押圧ボタン８１の押圧を解除すれば、図６に示すように、上下移動部材５７を弾力支持する弾性部材５４の弾性により上下移動部材５７が上側に移動するようになり、前記上下移動部材５７の下側に結合されているピストン５５とピストンリング５６も共に上側に移動するにつれて、シリンダー５１の内部の体積が大きくなって真空圧が発生するようになる。
【００７５】
前記シリンダー５１の内部に発生した真空圧により吸入バルブ板５２の吸入バルブ羽根５２１が浮き上がりながらシリンダー５１の底面に形成された内容物吸入孔５８が開放され、これによって内容器３０の内部に収容されていた内容物が前記内容物吸入孔５８を通じてシリンダー５１の内部に流入すると共に、前記内容器３０の内部に設置された押し上げ板３２が上部に移動するようになる。
【００７６】
以上、本発明で説明したことは行程距離の短いポンプを備えたコンパクト容器を実施するための１つの実施形態に過ぎないものであって、本発明は前記実施形態に限定されるものではない。添付した請求範囲で請求するように、本発明の要旨を逸脱することなく当該発明が属する分野で通常の知識を有する者であれば誰でも多様な変更実施が可能な範囲まで本発明の範囲に属すると見なさなければならない。
【符号の説明】
【００７７】
１０    容器本体
１１    ボタン
１２    内容器収容空間
１３    第１取付突起
１４    第２取付突起
１５    第３取付突起
１６    軸結合溝
１７    係止突起
２０    容器蓋
２１    フック
２２    鏡
３０    内容器
３１    内容物収容空間
３２    押し上げ板
３３    内容器底面
３４    空気流通ホール
３５    内壁
３６    外壁
３６１    取付溝
３６２    結合溝
４０    ポンプ支持台
４２    ブッシング結合溝
４３    下部延長突輪
４３１    結合突起
４３２    取付突輪
５０    ポンプ
５１    シリンダー
５２    吸入バルブ板
５３    ブッシング
５４    弾性部材
５５    ピストン
５６    ピストンリング
５７    上下移動部材
５８    内容物吸入孔
５２１    吸入バルブ羽根
５３１    貫通ホール
５３２    内側水平延長片
５３３    弾性部材収容部
５３４    外側水平延長片
５６１    ピストン羽根
５６２    密着突輪
５７１    内側延長突輪
５７２    外側延長突輪
５７３    上部延長突輪
５７４    スリット
６０    排出板
６１    排出孔
６２    排出突輪
７０    分配板
７１    拡散流路
７２    半円突起
７３    結合ホール
８０    ボタン
８１    押圧ボタン
８２    軸突起
８３    半円溝
【図１】
2016123845.tif 000004
【図２】
2016123845.tif 000005
【図３】
2016123845.tif 000006
【図４】
2016123845.tif 000007
【図５】
2016123845.tif 000008
【図６】
2016123845.tif 000009